(57)【特許請求の範囲】
【請求項１】
光素子と、一端が前記光素子と光学的に結合して固定配置されるファイバスタブと、該ファイバスタブが一方の端部側に嵌入されるスリーブと、を備え、該スリーブの他方の端部側から光コネクタのフェルールが挿入される光モジュールであって、
前記スリーブは、前記ファイバスタブが嵌入されて固定的にハウジング内に保持される第１のスリーブと、可動的に前記ハウジング内に保持される第２のスリーブと、で形成され、前記第１のスリーブ及び前記第２のスリーブは割スリーブであることを特徴とする光モジュール。
【請求項２】
前記第１のスリーブ及び前記第２のスリーブは、ジルコニアまたは燐青銅で形成されていることを特徴とする請求項１に記載の光モジュール。
【請求項３】
熱電冷却器を備えることを特徴とする請求項１または２に記載の光モジュール。
【発明の詳細な説明】
【技術分野】
【０００１】
本発明は、光通信に用いられる光モジュールに関する。
【背景技術】
【０００２】
光モジュールはそのハウジング内に発光素子や受光素子を備え、これら光素子が光コネクタに保持された光ファイバと光学的に結合するようになっている。そのために、光素子が、ファイバスタブなどの光学部品と光学的に結合するように配置され、また、光モジュールは、光コネクタのフェルールを整列するスリーブ（整列用スリーブ）を備える。代表的な光学部品であるファイバスタブは、整列用スリーブの一端に挿入されて固定されており、このスリーブとともにハウジング内に収容されている。光コネクタを光モジュールに接続するとき、フェルールがスリーブの他端から挿入されて、フェルールの光ファイバ端面がスリーブ内でファイバスタブのファイバ端面と物理的に接触する。これにより、光モジュール内において、光素子と光コネクタの光ファイバとが光学的に結合する。
以上が、典型的な光モジュールの構造の例である。
【０００３】
フェルール外径とスリーブ内径は、ファイバスタブなどの光学部品と光ファイバとの光学的な結合を実現するために精度良く仕上げられている。光コネクタを着脱する際に、作業者が光コネクタのハウジングを保持して手作業で行うことや、両ハウジングの寸法ばらつきなどのため、フェルールがスリーブに挿入される際に必ずしもフェルールの軸とスリーブの軸が一致しない。フェルールをスリーブに挿入する際の作業性を考慮すると、ある程度の軸のズレを吸収してスムーズに挿入されなければならない。そのため、光コネクタはそのハウジングの中でフェルールをフローティング構造で保持している。
【０００４】
図４は、光コネクタの一例の部分断面図である。図示するように、光コネクタ５において、フェルール５１は、ハウジング５０内において軸方向に移動可能なフェルール保持部材５２に保持されている。また、フェルール５１は、ハウジング５０の内外を隔てる隔壁５０ａに形成されている開口に、ハウジング５０外に突出するように挿通されている。フェルール５１と隔壁５０ａの間には、所定のクリアランスが設けられている。
【０００５】
外力が加えられていないとき、光コネクタ５のフェルール５１は、図４（Ａ）に示すように、軸方向に関して、光コネクタ５のフェルール保持部材５２がバネ５３の弾性力でハウジング５０の隔壁５０ａに押圧されることにより保持される。また、このときのフェルール５１は、軸と垂直方向に関して、フェルール保持部材５２がバネで隔壁５０ａに押し付けられることによるその接触面間の摩擦力によって保持される。
【０００６】
一方、フェルール５１に外力が加わったとき、フェルール５１は、図４（Ｂ）に示すように、軸方向に関して、バネ５３が縮むことにより、ハウジング５０内部に引き込まれように移動することができる。また、このときのフェルール５１は、軸と垂直方向に関して、フェルール５１と隔壁５０ａの間の上記クリアランスの分だけ移動することができる。
フェルールとスリーブの軸のズレは、このフローティング構造によって吸収される。
【０００７】
ただし、光モジュールのスリーブ開口部にフェルールが接して導入開始時点の両者の位置や角度の不一致の度合いや、接触する面の状態などによっては導入がスムーズに行われずに感覚的に引っ掛かりを感じたり、無理な挿入によってフェルールの表面等が傷ついたりする危険性があった。そこで、特許文献１に開示の光モジュールでは、フェルール挿入用の貫通孔を有するハウジング及びスリーブのフェルール導入部のテーパの寸法や形状を工夫することで、フェルールの導入がスムーズに行われるようにしている。
【特許文献１】特開２００４−９３６１９号公報
【発明の開示】
【発明が解決しようとする課題】
【０００８】
図５及び図６を用いて、光コネクタのフェルールをスリーブ内に挿入する際にスリーブにフェルールが引っ掛かるときの様子を説明する。図５は、ファイバスタブが一方の端部側に嵌入された整列用スリーブ（割スリーブ）に、他方の端部側からフェルールが挿入されていく様子を示しており、図６は、光コネクタを押し込み、フェルールを挿入していくのに必要な力（フェルールの端部に加わる力）の推移を示している。図６では、一定速度で光コネクタを動かした時にフェルールに加わる力、すなわち荷重計であるロードセルにかかる力（単位：Ｎ）を縦軸にとり、光コネクタのハウジングの変位（単位：ｍｍ）を横軸にとっている。なお、ロードセルに初めて荷重が加わったときの光コネクタの位置を変位０とする。
【０００９】
操作者などが光コネクタのハウジングを保持して、図５（Ａ）に示すように、フェルール５１についてスリーブ２５’への挿入を開始すると、フェルール５１の先端にはテーパが形成されているので、当該先端部分までは、スリーブ２５’へスムーズに挿入される。しかし、さらにフェルール５１を挿入して行くと、フェルール５１とスリーブ２５’との間には軸ズレがあるため、図５（Ｂ）に示すように、スリーブ２５’の端面側で光コネクタのフェルール５１の端面が引っ掛かり始める。この引っ掛かりにより、光コネクタ内でフェルール５１を軸方向に支えるバネ（図４（Ｂ）参照）が縮み出すため、フェルール５１に力が加わり出す。
【００１０】
スリーブ２５’が割スリーブであるため、さらに光コネクタを押し込んでいくことで、割スリーブを変形させながらフェルール５１を挿入させていくことはできる。しかし、フェルール５１の変位は、フェルール５１とスリーブ２５’との引っ掛かりのために、光コネクタのハウジングの変位に比べ小さく、その変位の差分だけバネは縮むことになる。したがって、図６の領域Ａに示すように、光コネクタが変位するほどに光コネクタ及びフェルール５１を押し込むために必要な荷重が増加していく。
【００１１】
さらに光コネクタを押し込んでいき、スリーブ２５’に対するフェルール５１の角度が変化したりバネがさらに圧縮されたりなどすることで、光コネクタのバネからフェルール５１に加わる力が、フェルール５１とスリーブ２５’との間の係止力より大きくなると、引っ掛かりが図５（Ｃ）に示すように外れて、光コネクタを押し込むのに必要な力が急激に減少する。図６の例では、Ｂ点（変位がおよそ０．７５ｍｍの点）でこの急激な減少が起こっているが、この直前では最大で約８Ｎもの大きな力が光コネクタの押し込みに必要である。つまり、従来の構成では、光コネクタのフェルール５１をスリーブ２５’にスムーズに挿入することが難しかった。
【００１２】
また、光コネクタを押し込むのに必要な荷重が急激に減少すると、急減した時点での荷重とバネの圧縮力により、フェルール５１が勢い良く軸方向に飛び出し、スリーブ２５’が短い場合などにファイバスタブ２４に衝突したりする恐れがある。フェルール５１がファイバスタブ２４に衝突すると、その衝撃により、フェルール５１に保持されたファイバの端面、ファイバスタブ２４に保持されたファイバの端面、光モジュール本体のパッケージ内に内蔵する光素子やこれら光素子のための電子・電気部品等が破損したり脱落したりする場合がある。特に、熱電冷却器を備える光モジュールで、電子部品等と熱電冷却器との接触界面での破損が生じ易い。
【００１３】
また、特許文献１に開示の光モジュールを構成しても、フェルールとスリーブの導入部との接触による引っ掛かりを全く無くすことはできないため、さらなる改善が求められる。
本発明は、上述のような実情に鑑みてなされたもので、光コネクタのフェルールのスリーブへの挿入をスムーズに行うことができる光モジュールを提供することを目的とする。
【課題を解決するための手段】
【００１４】
本発明の光モジュールは、上記課題を解決するために、光素子と、一端がその光素子と光学的に結合して固定配置されるファイバスタブと、ファイバスタブが一方の端部側に嵌入されるスリーブと、を備え、スリーブの他方の端部側から光コネクタのフェルールが挿入される光モジュールであって、スリーブは、ファイバスタブが嵌入されて固定的にハウジング内に保持される第１のスリーブと、可動的にハウジング内に保持される第２のスリーブと、で形成され、第１及び第２のスリーブは割スリーブであることを特徴としたものである。
【００１５】
また、第１及び第２の割スリーブがジルコニアまたは燐青銅で形成されていることが好適である。なお、本発明による光モジュールは熱電冷却器を備える構成のものに対して有用である。
【発明の効果】
【００１６】
本発明の光モジュールによれば、光コネクタの挿入を整列させるスリーブを、ハウジングに固定的な第１のスリーブと、ハウジングに可動的な第２のスリーブと、により形成しているので、フェルールをファイバスタブと光結合させる際にまず可動的な第２のスリーブに挿入させるようにしたため、挿入初期でのフェルールとスリーブの導入部との接触による引っ掛かりを無くすことができる。これにより、引き続く第１のスリーブへの挿入をスムーズに行うことができる。
【発明を実施するための最良の形態】
【００１７】
本発明の光モジュールは、例えば、光素子としてレンズレーザユニットを搭載した光送信モジュールとして構成される。図１を用いて、本発明に係る光（光送信）モジュールの一例の概略を説明する。図１は、本発明による光モジュールの一例の断面図である。図示の光モジュール１は、バタフライタイプの光モジュールであり、側方や後方からリードピン（図示省略）が延び出す略長方体形状のパッケージ１１を有する共に光電変換を行う光デバイス１０と、光コネクタのフェルール（図４参照）を受納する光レセプタクル部材２０と、から成る。
【００１８】
また、各種部品を収容する光モジュール１のハウジングは、光レセプタクル部材２０の後述のスリーブシェル２１、スタブホルダ２２及びスタブホルダ保持部材（金属ホルダ）２３と、光デバイス１０のパッケージ１１と、によりその外形が規定される。なお、以下の説明では、光モジュール１において光レセプタクル部材２０が設けられている側を前方とし、その反対側を後方とする。
【００１９】
光デバイス１０は、そのパッケージ１１内に、発光素子であるレンズレーザユニット１２を収容している。パッケージ１１の前部１１ａには、光レセプタクル部材２０が取付けられると共に、光信号を外部に送出するための開口１１ｂが設けられている。この開口１１ｂに図示しない光学窓を取付けることにより、レンズレーザユニット１２等がパッケージ１１内にハーメチックシールされる。
【００２０】
レンズレーザユニット１２は、光電変換を行って光信号を出力するものであり、パッケージ１１の底板部材１１ｃ上に設けられた熱電冷却器（ＴＥＣ：Thermo Electric Cooler）１３に取付けられる。レンズレーザユニット１２は、例えば、光電変換機能を有する半導体発光素子（ＬＤ：Laser Diode）やＬＤを駆動するためのＩＣドライバ等の電気／電子部品と、レンズ等の光学部品と、を含む。レンズレーザユニット１２（以下、レーザユニット１２という）は、ＬＤから出力された光信号は、レンズと、パッケージ１１の前部１１ａの開口１１ｂに設けられた光学窓と、を介して、ファイバスタブ方向すなわち光レセプタクル部材２０方向に送出される。
【００２１】
ＴＥＣ１３は、例えば、ペルチェ素子などからなり、ＬＤを高周波で駆動したときにレーザユニット１２が発生する熱を、温度に応じて、パッケージ１１の底板部材１１ｃを介して、放出することができるようになっている。このＴＥＣ１３により、レーザユニット１２（特に、その電気／電子部品）を効率良く冷却することができる。
【００２２】
パッケージ１１の底板部材１１ｃにおいて一段高くなっている後方部分には、レーザユニット１２からの光出力強度をモニタするモニタフォトダイオード（ＰＤ：Photo Diode）が実装されるとともに、配線パターン等が形成されている。配線パターンには、レーザユニット１２やＴＥＣ１３が、ボンディングワイヤ（不図示）により電気的に接続されている。また、配線パターンには、パッケージ１１の外部に少なくとも一部が露出するリードピンが電気的に接続されており、このリードピンにより、外部からレーザユニット１２やＴＥＣ１３に電気信号や電源を入力したり、これらから外部へ電気信号を取り出したりすることができるようになっている。
【００２３】
光レセプタクル部材２０は、スリーブシェル２１と、スタブホルダ２２と、金属ホルダ２３と、ファイバスタブ２４と、第１のスリーブ２５と、第２のスリーブ２６、マグネット２７、アイソレータ２８とを有する。
【００２４】
ファイバスタブ２４は、その中心部に光ファイバ等の光ガイド部２４ａ（以下、光ファイバ２４ａという）を有し、レーザユニット１２からの光は、レンズ１４により、この光ファイバ２４ａに集光される。また、ファイバスタブ２４の後端面は、レーザユニット１２のＬＤへの反射戻り光を抑制するために斜め研磨されており、その光ファイバ端面に後述のアイソレータ２８が取付けられている。また、ファイバスタブ２４のフェルール挿入側端部（前端）は、光コネクタのフェルール（図示せず）と物理的に当接するように凸形状に加工されている。さらに、ファイバスタブ２４は、金属ホルダ２３を介して光デバイス１０に固定されるスタブホルダ２２にその後端が保持されることにより、光モジュール１のハウジング内で固定配置される。
【００２５】
本光モジュール１において、ファイバスタブ２４が一方の端部側に嵌入されると共に他方の端部側から光コネクタのフェルールが挿入されるスリーブは、第１のスリーブ２５及び第２のスリーブ２６から構成される。
第１のスリーブ２５は、その後端側にファイバスタブ２４の前端が嵌入されており、その前方側から光コネクタのフェルールが挿入される。第１のスリーブ２５は、その中心軸が、光モジュール１のハウジングの中心軸と一致するように（すなわち同心状に）、上記ハウジング内に固定的に収容される。
【００２６】
第２のスリーブ２６は、第１のスリーブ２５と略同一の内径を有するものであり、第１のスリーブ２５の前方に、光モジュール１のハウジング内で可動的に保持される。第２のスリーブ２６は、第１のスリーブ２５と異なり、光モジュールのハウジングには固定されておらず、また、ハウジングを構成するスリーブシェル２１との間にギャップが形成されるように設けられている。すなわち、第１のスリーブ２５に対し独立可動にハウジング内に収容されている。
【００２７】
光コネクタのフェルールは、第２のスリーブ２６を通り抜けて第１のスリーブ２５に挿入される。第１のスリーブ２５は、第２のスリーブ２６を介して光コネクタのフェルールが挿入されたときに、フェルール内の光ファイバ（図示せず）と、ファイバスタブ２４内の光ファイバ２４ａとが互いに突き合わされるように、フェルールをガイドする。光コネクタのフェルール内の光ファイバと、ファイバスタブ２４の光ファイバ２４ａとが、上記突き合せを行うことで物理的に接触し、その結果、レーザユニット１２からの光信号を低損失で当該光ファイバ中に伝播させていくことができる。
【００２８】
このような構成により、光コネクタの接続が開始されたときに、フェルールが光レセプタクル部材２０に挿入される当初はハウジング内で動くことができる第２のスリーブに挿入されることになるので、引っ掛かることなく光コネクタのフェルールをスムーズに挿入することができる。
【００２９】
スタブホルダ２２は、ファイバスタブ２４を圧入保持しており、その圧入保持部より後方には、マグネット２７を有する。マグネット２７は、ファイバスタブ２４に向かう光の反射戻りを除去するアイソレータ２８のファラデー回転子のために設けられ、その磁界によって上記ファラデー回転子が光の振動方向を所定の方向に回転させることができるようになっている。スタブホルダ２２の前方には、第１のスリーブ２５及び第２のスリーブ２６を覆うスリーブシェル２１が取付けられており、スタブホルダ２２の後方は光レセプタクル部材２０を光デバイス１０に固定するための金属ホルダ２３に取付けられる。
スリーブシェル２１、スタブホルダ２２及び金属ホルダ２３は、例えば、ステンレス材料を用いて形成される。
【００３０】
光レセプタクル部材２０の後端面すなわち金属ホルダ２３の後端面は、光デバイス１０のパッケージ１１の前端面上で、光軸と垂直方向にスライド可能なスライド面となっているため、レーザユニット１２とファイバスタブ２４の光ファイバ２４ａとの位置調整を光軸と垂直面内で行うことができる。
また、金属ホルダ２３の前方の円筒状の空間内で、スタブホルダ２２が金属ホルダ２３の内壁面上で、光軸方向にスライド可能になっている。そのため、レーザユニット１２とファイバスタブ２４の光ファイバ２４ａとの、光軸方向の位置調整を行うことができる。
【００３１】
続いて、図２を用いて、本発明の主要部に係る光レセプタクル部材について更に説明する。図２は、光レセプタクル部材の断面図であり、金属ホルダの図示を省略している。
光レセプタクル部材２０は、図示するように、直列に配置された複数のスリーブ（第１及び第２のスリーブ２５，２６）を有する。第１及び第２のスリーブ２５，２６は、共に割スリーブであり、その材質は光コネクタのフェルールの材質と同じものであることが好ましいため、例えば、ジルコニアや燐青銅で形成されることが好ましい。
【００３２】
第２のスリーブ２６は、モジュールハウジングの空間（図の例では第１のスリーブ２５とスリーブシェル２１とで形成される空間）内で自由に保持される。そのため、光コネクタのフェルールを挿入して、フェルール端部が第２のスリーブ２６の前端部と接触したとしても、第２のスリーブ２６がフェルールの位置、角度に従って移動して接触部における引っ掛かりが生じない。また、第２のスリーブ２６の後端部までフェルールが挿入された時点では、モジュールハウジングや光コネクタのハウジングなどの嵌め合わせなどの影響も受けて、フェルールの角度ズレはある程度矯正されているため、フェルールと第１のスリーブ２５との軸がほぼ一致し、フェルールの第１のスリーブ２５への導入において引っ掛かりが生じない。このように、本発明の光モジュールでは、引っ掛かりが生じないので光コネクタのフェルールのスリーブへの挿入をスムーズに行うことができる。
【００３３】
光レセプタクル部材２０の図２に示す部分を組み立てる手順は、以下の通りである。まず、スタブホルダ２２にファイバスタブ２４の一端を圧入し、マグネット２７を取付け、そして、ファイバスタブ２４の他端に固定されるように第１のスリーブ２５を圧入する。その後、第２のスリーブ２６を挿入したスリーブシェル２１をスタブホルダ２２に被せるように圧入する。この例では、取付け固定方法として圧入を用いたが、接着その他の一般的な固定法でもよい。そして、アイソレータ２８がファイバスタブ２４の一端の光ファイバ端面に接着される。
【００３４】
また、スリーブのフェルール抜去力（保持力）が業界標準で定められており、所定の力以下でフェルールが抜け落ちてはならない。一方で、引っ掛かりをなくすために、割スリーブについては、その軸方向と垂直な方向に押し広げるために必要な力が小さい方が良い。容易に押し広がりフェルールを抜去しやすい割スリーブでは引っ掛かりは生じない。しかし、上述の抜去（保持）力の標準値を実現する必要がある。
【００３５】
そこで、本発明に係る光レセプタクル部材２０は、第１及び第２のスリーブ２５，２６のそれぞれの抜去力は小さくして引っ掛かりを無くす一方で、第１及び第２のスリーブ２５，２６が協働して光コネクタのフェルールを保持することで、フェルールの脱落を防ぐための力（モジュールとしての全体の抜去力）が規格（規格番号がIEC61754シリーズのもの）内に収まるようにしている。具体的には、両者の抜去力の和が標準の値を満たすように設定している。
【００３６】
光コネクタとしては、ＳＣタイプやＬＣタイプ、ＭＵタイプのものが広く用いられているが、種類に応じて、規格で定められた光レセプタクル部材２０に求められる抜去力が異なる。ＳＣタイプでは２．０〜５．９Ｎ（規格番号：IEC61754-4）、ＬＣタイプ及びＭＵタイプでは、１．０〜２．５Ｎ（規格番号：IEC61754-20、IEC61754-6）である。したがって、第１及び第２のスリーブ２５，２６の抜去力はそれぞれ、ＳＣタイプの場合は１〜２．９５Ｎ、ＬＣ及びＭＵタイプの場合は０．５〜１．２５Ｎとして、第１のスリーブ２５と第２スリーブ２６とが協働して、抜去力の規格値を満たすようにすると良い。
【００３７】
また、第２のスリーブ２６のフェルール導入の前端部から第１のスリーブ２５のフェルール導入端部までの距離、第１のスリーブ２５のフェルール導入の前端部からファイバスタブ２４端面までの距離が、それぞれ光コネクタのフェルールの軸方向浮動量よりも大きくしておくことが好適である。これにより、万一、それぞれの導入端部で引っ掛かりが生じ、その後にバネの圧縮が開放されても、フェルール端面と、第１のスリーブ２５またはファイバスタブ２４端面との衝突が生じないようにすることができる。
【００３８】
本発明に係る光レセプタクル部材は、少なくとも２つの直列に配置されたスリーブを持つ。ここで、光レセプタクル部材がＳＣタイプに対応したものであり、複数のスリーブのうちフェルール導入側のスリーブ（図２の例では、第２のスリーブ２６）の外径Ｒ１が３．６ｍｍ、長さＲ３が２．８ｍｍであり、スリーブシェル２１（光モジュールのハウジングの空間）の内径Ｒ２が３．７ｍｍであったと仮定する。この場合、第２のスリーブ２６の軸はスリーブシェル２１の軸に対して最大で角度が２°ずれた状態となる可能性がある。
【００３９】
第２のスリーブ２６が２°傾いた状態で、その角度で挿入されたフェルールが、第１のスリーブ２５に到達して導入される際に、第１のスリーブ２５の抜去力（ＳＣタイプの場合は１．０〜２．０Ｎ）が小さい（すなわち第１のスリーブ２５を軸と垂直な方向に容易に押し広げられる）ため、引っ掛かり無くフェルールが挿入される。
このように、スリーブシェル２１内でフリーに保持される第２のスリーブ２６は、挿入されるコネクタフェルールの進入角度を所定の角度（上述の例では２°）以下に矯正する役目を担う。
【００４０】
上述の仮定と同じ寸法・構成を有する、光モジュールの光レセプタクル部材（すなわち、ＳＣタイプのものであり、第２のスリーブの外径Ｒ１が３．６ｍｍ、長さＲ３が２．８ｍｍであり、スリーブシェルの内径Ｒ２が３．７ｍｍであるもの）を作製した。なお、この光レセプタクル部材において、第１のスリーブの開放端からファイバスタブの端面までの距離Ｒ４（図２参照）は２．６ｍｍであり、第１及び第２のスリーブの抜去力は１Ｎである。
【００４１】
作製した光レセプタクル部材のスリーブ（第１及び第２のスリーブ）に光コネクタのフェルールを挿入していくときに、光コネクタを押し込むのに必要な力（フェルールの端部に加わる力）を測定した結果を図３に示す。図３では、一定速度で光コネクタを動かす時にフェルールに加わる力、すなわち荷重計であるロードセルにかかる力（単位：Ｎ）を縦軸にとり、光コネクタのハウジングの変位（単位：ｍｍ）を横軸にとっている。なお、ロードセルに初めて荷重が加わったときの光コネクタの位置を変位０とする。
【００４２】
作製した光モジュールにおいて、第２のスリーブがハウジング内で自由に保持されているため、光コネクタのフェルールと第２のスリーブの前端部とで引っ掛かりが生じなく、また、フェルールの先端にはテーパが形成されている。そのため、光コネクタを押し込んでいくと、フェルールの先端が第２のスリーブの後方部分にかかるまで、フェルールがスムーズに第２のスリーブに挿入された。
さらに光コネクタを押し込んでいくと、図３の領域Ｃに示すように、第２のスリーブの後方部分あるいは第１のスリーブの前方部分において、フェルールの端部が多少引っ掛かった。しかし、この時点では、フェルールの角度ズレはある程度矯正されており、第１及び第２のスリーブの抜去力は小さいので、小さい力（最大でも約１．４Ｎ）を加えるだけで、光コネクタのフェルールがスリーブへスムーズに挿入された。
【００４３】
なお、図３の領域Ｄは、フェルールとファイバスタブが物理的に接触（ＰＣ：Physical Contact）した後に光コネクタをさらに押し込んでいき、フェルール端面とファイバスタブ端面に所定の圧力が加わったときの様子を示している。
また、この作製した光レセプタクル部材の（スリーブの）抜去力を測定したところ、ＳＣタイプの光コネクタの規格値を満たす値であった。
【００４４】
上述の例では、バタフライ型モジュールとして光モジュールを構成するようにしていたが、本発明の光モジュールは、ＣＡＮ型パッケージを有する光送信デバイスや光受信デバイスに上述のものと同様な光レセプタクル部材を取付けて、同軸型の光送信モジュールや光受信モジュールとしてもよい。なお、光送信デバイスのＣＡＮ型パッケージ内部には、例えば、上述の光デバイス１０と同様に、ＬＤやＬＤ駆動用のドライバＩＣが実装される。また、光受信デバイスのＣＡＮ型パッケージ内部には、例えば、ＰＤやトランスインピーダンスアンプが実装される。
【００４５】
また、上述の例では、ＬＤからの出射光を１つのレンズを用いてファイバスタブに光結合させるようにしていたが、例えば、金属ホルダ内に別のレンズを設ける等して、複数のレンズを用いて上記光結合を達成するようにしてもよい。
また、本発明の光モジュールは、内部に回路基板を搭載した光リンクモジュールに好適に適用できる。
【００４６】
以上、説明したように、本光モジュールのように構成することにより、光コネクタのフェルールをスリーブ（第１及び第２のスリーブ）にスムーズに挿入することができる。換言すれば、本構成の光モジュールでは、光コネクタのフェルールの端部にかかる力（すなわち、光コネクタのバネの圧縮力）が小さい。そのため、本光モジュールでは、従来の、フェルール挿入時に端部にかかる力が大きい光モジュールとは異なり、バネの圧縮力により軸方向に勢い良く飛び出したフェルールが、ファイバスタブに衝突することがない。早い速度でフェルールがファイバスタブに衝突すると、衝突による高周波の振動が光モジュール内の構成部品に到達し、構成部品のうちＴＥＣやレーザユニット等のように高さがあったり面積が大きかったりするものが壊れることがある。本光モジュールでは、この現象を回避することができる。
【図面の簡単な説明】
【００４７】
【図１】本発明による光モジュールの一例の断面図である。
【図２】本発明の主要部に係る光レセプタクル部材の断面図である。
【図３】本発明による光モジュールにおいて、光レセプタクル部材のスリーブ（第１及び第２のスリーブ）に光コネクタのフェルールを挿入していくときの様子を説明する図である。
【図４】光コネクタの一例の部分断面図である。
【図５】従来の光モジュールにおいて、フェルールをスリーブ内に挿入する際にスリーブにフェルールが引っ掛かるときの様子を説明する図である。
【図６】従来の光モジュールにおいて、フェルールをスリーブ内に挿入する際にスリーブにフェルールが引っ掛かるときの様子を説明する図である。
【符号の説明】
【００４８】
１…光モジュール、１０…光デバイス、１１…パッケージ、１１ａ…前部、１１ｂ…開口、１１ｃ…底板部材、１１ｃ…底部、１２…レンズレーザユニット、１３…熱電冷却器（ＴＥＣ）、２０…光レセプタクル部材、２１…スリーブシェル、２２…スタブホルダ、２３・・・金属ホルダ、２４…ファイバスタブ、２４ａ…光ファイバ、２５…第１のスリーブ、２６…第２のスリーブ、２７…マグネット、２８…アイソレータ。
【図１】
0004908379.tif 000002
【図２】
0004908379.tif 000003
【図３】
0004908379.tif 000004
【図４】
0004908379.tif 000005
【図５】
0004908379.tif 000006
【図６】
0004908379.tif 000007